(57)【要約】本発明はプリンターテンプレートおよび設定可能なテンプレートをもつ発券プリンターを設定する方法を提供する。テンプレート属性はプリンターで受信され、プリンターメモリーに記憶される。プリンターのプロセッサが、テンプレート属性からテンプレートを形成する。印刷データはプリンターメモリーに与えられる。印刷データは複合画像を形成するためにテンプレートに結合される。複合画像は被印刷物に印刷される。印刷物は領収書、宝くじ券、クーポン、バス券、航空機搭乗券、列車乗車券、ゲームバウチャ、スロットマシーンバウチャなどである。
2007514564.tif 000002
【特許請求の範囲】
【請求項１】
プリンターのためのテンプレートを設定する方法であって、
テンプレート属性をプリンターのメモリーに与える工程と、
テンプレート属性からテンプレートを形成する工程と、
印刷データをプリンターのメモリーに与える工程と、
複合画像を形成するために印刷データをテンプレートに結合する工程と、
複合画像を被印刷物に印刷する工程と、
を含む方法。
【請求項２】
前記プリンターが発券プリンターからなり、
前記被印刷物が券である、
請求項１に記載の方法。
【請求項３】
一つ以上の設定可能なテンプレートがプリンターに記憶され、
テンプレート属性からテンプレートを形成する工程が、前記テンプレート属性にしたがって設定可能なテンプレートの一つを修正することからなる、
請求項１に記載の方法。
【請求項４】
さらに、前記テンプレート属性により修正されるべき前記設定可能なテンプレートの一つを識別するために、コマンドをプリンターに与える工程を含む、
請求項３に記載の方法。
【請求項５】
前記コマンドが別の不使用プリンターコマンドからなる、
請求項４に記載の方法。
【請求項６】
テンプレート属性がプリンターに関連したホストシステムにより与えられる
請求項１に記載の方法。
【請求項７】
テンプレート属性がホストシステムに関連したユーザーインターフェースを介して入力される、
請求項１に記載の方法。
【請求項８】
テンプレート属性がプリンターに挿入することができる、取り外し可能なメモリーデバイスから与えられる、
請求項１に記載の方法。
【請求項９】
取り外し可能なメモリーデバイスが、コンパクトフラッシュカード、スマートカード、スマートメディアカード、ＵＳＢフラッシュドライブ、メモリースティックまたは差し込みシリアルＥＥＰＲＯＭの一つからなる、
請求項８に記載の方法。
【請求項１０】
テンプレート属性が複数の印刷フィールド、印刷フィールド位置、印刷フィールド領域、印刷位置、フォントスタイル、太字フォント、イタリックフォント、下線テキスト、フォントサイズ、一インチ当たりの文字数、テキストの向き、画像位置、画像サイズ、印刷解像度、バーコードタイプ、および色の少なくとも一つからなる、
請求項１に記載の方法。
【請求項１１】
前記テンプレートが多数の印刷フィールドからなる、
請求項１に記載の方法。
【請求項１２】
印刷フィールドの数が設定可能である、
請求項１１に記載の方法。
【請求項１３】
さらに、テンプレート属性を各印刷フィールドに与える工程を含む、
請求項１１に記載の方法。
【請求項１４】
印刷データがテキストおよびグラフィックの少なく一つからなる、
請求項１に記載の方法。
【請求項１５】
印刷データがプリンターに関連したホストシステムから送られる、
請求項１に記載の方法。
【請求項１６】
ホストシステムが、キャッシュレジスター、ＰＯＳ端末、スロットマシーン、ゲーム端末、宝くじ券発売機、交通機関乗車券自動販売機、または娯楽券自動販売機の一つからなる、
請求項１に記載の方法。
【請求項１７】
印刷物が、領収書、宝くじ券、クーポン、バス券、航空機搭乗券、列車乗車券、ゲームバウチャ、またはスロットマシーンバウチャの一つからなる、
請求項１に記載の方法。
【請求項１８】
前記テンプレート属性が印刷フィールドデータを分離する区分け文字を含む、
請求項１に記載の方法。
【請求項１９】
前記区分け文字が設定可能である、
請求押１８に記載の方法。
【請求項２０】
設定可能なテンプレートをもつプリンターであって、
受信したテンプレート属性および受信した印刷データを記憶するためのメモリーと、
テンプレートをテンプレート属性から形成し、複合画像を形成するために印刷データをテンプレートに結合するプロセッサと、
複合画像を被印刷物に印刷する手段と、
を含むプリンター。
【請求項２１】
前記プリンターが発券プリンターからなり、
前記印刷物が券である、
請求項２０に記載のプリンター。
【請求項２２】
前記メモリーが一つ以上の設定可能なテンプレートを記憶し、
プロセッサが、前記テンプレート属性にしたがって、前記設定可能なテンプレートの一つを修正することにより、テンプレート属性からテンプレートを形成する、
請求項２０に記載のプリンター。
【請求項２３】
プリンターに関連するホストシステムが、前記テンプレート属性により修正されるべき前記設定可能なテンプレートの一つを識別するために、コマンドをプリンターに与える、
請求項２２に記載のプリンター。
【請求項２４】
前記コマンドが別の不使用プリンターコマンドからなる、
請求項２３に記載のプリンター。
【請求項２５】
テンプレート属性がプリンターに関連したホストシステムにより与えられる
請求項２０に記載のプリンター。
【請求項２６】
テンプレート属性がホストシステムに関連したユーザーインターフェースを介して入力される、
請求項２５に記載のプリンター。
【請求項２７】
テンプレート属性がプリンターに挿入することができる、取り外し可能なメモリーデバイスから与えられる、
請求項２０に記載のプリンター。
【請求項２８】
取り外し可能なメモリーデバイスが、コンパクトフラッシュカード、スマートカード、スマートメディアカード、ＵＳＢフラッシュドライブ、メモリースティックまたは差し込みシリアルＥＥＰＲＯＭの一つである、
請求項２７に記載のプリンター。
【請求項２９】
テンプレート属性が複数の印刷フィールド、印刷フィールド位置、印刷フィールド領域、印刷位置、フォントスタイル、太字フォント、イタリックフォント、下線テキスト、フォントサイズ、一インチ当たりの文字数、テキストの向き、画像位置、画像サイズ、印刷解像度、バーコードタイプ、および色の少なくとも一つである、
請求項２０に記載のプリンター。
【請求項３０】
前記テンプレートが多数の印刷フィールドとからなる、
請求項２０に記載のプリンター。
【請求項３１】
印刷フィールドの数が設定可能である、
請求項３０に記載のプリンター。
【請求項３２】
テンプレート属性が各印刷フィールドに与えられる、
請求項３０に記載のプリンター。
【請求項３３】
印刷データがテキストおよびグラフィックの少なく一つからなる、
請求項２０に記載のプリンター。
【請求項３４】
印刷データがプリンターに関連したホストシステムから送られる、
請求項２０に記載のプリンター。
【請求項３５】
ホストシステムが、キャッシュレジスター、ＰＯＳ端末、スロットマシーン、ゲーム端末、宝くじ券発売機、交通機関乗車券自動販売機、または娯楽券自動販売機の一つからなる、
請求項２０に記載のプリンター。
【請求項３６】
印刷物が、領収書、宝くじ券、クーポン、バス券、航空機搭乗券、列車乗車券、ゲームバウチャ、またはスロットマシーンバウチャの一つからなる、
請求項１２０載のプリンター。
【請求項３７】
前記テンプレート属性が印刷フィールドデータを分離する区分け文字を含む、
請求項２０に記載のプリンター。
【請求項３８】
前記区分け文字が設定可能である、
請求押３７に記載のプリンター。
【発明の詳細な説明】
【技術分野】
【０００１】
本出願は、“Smart Printer Including Configurable Ticket Template, Status Updating, Color Conversion, Print Progress Detection, Print Completion Detection, and Paper Low Sensing Feature”と題し、２００３年１１月１２日に出願の米国仮特許出願第６０／５１９５２１号に基づく（ここに参考文献として組み込まれる）。
【０００２】
本発明は一般的に、領収書、宝くじ券、バス券、航空機搭乗券、列車乗車券、ゲームバウチャ（voucher）、スロットマシーンバウチャなどの券を印刷に関する。特に、本発明はプリンターテンプレートを設定する方法および設定可能なテンプレートをもつ発券プリンターを提供する。
【発明の開示】
【発明が解決しようとする課題】
【０００３】
券を印刷する従来技術は三つの基本方法を採用する。従来技術の第１の方法は、印刷機械へのエンハンスドインターフェースを使用する。印刷位置、フォント、フォントサイズ、一インチ当たりの文字（ＣＰＩ）などを選択するために使用するすべてのコマンドがホストシステムによりプリンターへと送られる。ホストシステムには、印刷機械のコマンドインターフェースの詳細な内容を備えることが求められる。このアプローチは、ホストシステムがプリンターを機能させるために、全てのコマンドを知り、プリンターへ送らなければならないという欠点をもつ。
【０００４】
従来技術の第２の方法は、種々の“セットアップコマンド”を履行するために、所定のプリンターマクロを使用する。このコマンドは印刷位置、フォント、フォントサイズ、ＣＰＩを選択するために使用される。この方法は、マクロが各フィールドで呼びだされるものであることを必要とする。
【０００５】
従来技術の第３の方法はテンプレートをプリンターに与えるものである。所定の数の印刷フィールドがプリンターへと送られる。テンプレートに基づき、プリンターは、送られてきたフィールドデータをどのように印刷するかという所定の動作を呼び出す。この方法は柔軟性のないという欠点をもつ。
【０００６】
設定可能なプリンターテンプレートを提供することには利点がある。印刷位置、フォント、フォントサイズ、ＣＰＩなど種々のテンプレート属性の設定を可能にすることにも利点がある。
【０００７】
本発明の方法および装置は、これらおよび他の利点を提供する。
【課題を解決するための手段】
【０００８】
本発明は、領収書、宝くじ券、バス券、航空機搭乗券、列車乗車券、ゲームバウチャ（voucher）、スロットマシーンバウチャなどの券を印刷に関する。特に、本発明はプリンターテンプレートを設定する方法および設定可能なテンプレートをもつ発券プリンターを提供する。特に、本発明はプリンターテンプレートを設定する方法および設定可能なテンプレートをもつ発券プリンターを提供する。
【０００９】
本発明の一実施例では、設定可能なテンプレートをもつプリンターが提供される。プリンターは受信したテンプレート属性および受信した印刷データを記憶するためのメモリーを含む。複合画像を形成するために、テンプレート属性からテンプレートを形成し、印刷データをテンプレートに結合するためのプロセッサが提供される。印刷手段（たとえば、印刷ドライバー、印刷エンジン、画像を形成するために必要なプリンターの機械的要素）が複合画像を被印刷物に印刷するために備えられる。
【００１０】
一実施例では、プリンターは発券プリンターを含み、被印刷物は券である。
【００１１】
プリンターのプロセッサは、受信したテンプレート属性にしたがってプリンターでテンプレートを生成または形成することができる。これに代えて、プリンターはメモリーに、ひとつ以上の設定可能なテンプレートを記憶することができる。プロセッサは、テンプレート属性にしたがって設定可能なテンプレートの一つを修正することにより、プリンターにより使用されるテンプレートを形成することができる。この実施例では、プリンターに関連したホストシステムが、テンプレート属性により修正されるべき設定可能なテンプレートに一つを識別するために、コマンドをプリンターに提供することができる。このコマンドは他の不使用プリンターコマンドを含むことができる。
【００１２】
テンプレート属性はプリンターに関連したホストシステムにより提供されてもよい。たとえば、テンプレート属性はホストシステムに関連したユーザーインターフェースを介して入力されてもよい。これに代えて、テンプレート属性は、プリンターに挿入することができる、取り外し可能なメモリーデバイスから与えられてもよい。取り外し可能なメモリーデバイスとしては、コンパクトフラッシュ（登録商標）カード、スマートカード、スマートメディアカード、ＵＳＢフラッシュドライブ、メモリースティク、差し込みシリアルＥＥＰＲＯＭなどがある。
【００１３】
テンプレート属性は、複数の印刷フィールド、印刷フィールド位置、印刷フィールド領域、印刷位置、フォントサイズ、太字フォント、イタリックフォント、下線テキスト、フォントサイズ、一インチ当たりの文字数、テキストの向き、画像位置、画像サイズ、印圧解像度、バーコードタイプ、色などの少なくとも一つを含むことができる。
【００１４】
テンプレートは多くの印刷フィールドを含むことができる。印刷フィールとの数は設定可能である。テンプレート属性は、各印刷フィールドに対して提供されてもよい。
【００１５】
印刷データはテキストおよびグラフィックの少なくとも一つを含むことができる。印刷データはプリンターに関連したホストシステムから送られてもよい。
【００１６】
ホストシステムは、キャッシュレジスター、ＰＯＳ（point of sale）端末、スロットマシーン、ゲーム端末、宝くじ券機、交通輸送券自動販売機、娯楽券自動販売機などの一つであってもよい。券は、領収書、宝くじ券、クーポン、バス券、飛行機搭乗券、列車乗車券、ゲームバウチャ、スロットマシーンバウチャなどの一つであってもよい。
【００１７】
テンプレート属性は、印刷フィールドデータを分離する区切り文字を含んでもよい。区切り文字は設定可能である。
【００１８】
本発明にしたがって、プリンターのためのテンプレートを設定する対応した方法も提供される。
【００１９】
本発明は添付図面を参照して下述される（同様の要素については同じ符号が付される）。
【発明を実施するための最良の形態】
【００２０】
以下の説明は例示であり、本発明の範囲、利用可能性、構成について限定をするものではない。むしろ、例示として説明する内容は当業者が本発明を実施することができるようにしたものである。本発明の思想および範囲内で要素や機能を変更することができることは分かるであろう。
【００２１】
図１に示されている本発明の実施例において、設定可能なテンプレートをもつプリンター１０が提供される。プリンター１０は受信したテンプレート属性１４および受信した印刷データ１６を記憶するためのメモリーを含む。メモリー１２は当業者には明らかな、不揮発性メモリーおよびワーキングメモリーを含んでもより。テンプレート属性１４からテンプレートを形成し、複合画像を形成するために印刷データをテンプレートに結合するためのプロセッサが備えられる。印刷手段（たとえば、印刷ドライバー、印刷エンジン、画像を形成するために必要なプリンターの機械的要素）が複合画像を被印刷物に印刷するために備えられる。
【００２２】
一実施例では、プリンターは発券プリンターを含み、被印刷物は券を含む。
【００２３】
プリンター１０のプロセッサ１８は、受信したテンプレート属性１４にしたがってプリンター１０でテンプレートを生成または形成することができる。図２に示された他の実施例では、プリンター１０はメモリー１２に、一つ以上の設定可能なテンプレート２２を記憶することができる。プロセッサ１８は、テンプレート属性１４にしたがって設定可能なテンプレート２２の一つを修正することにより、プリンター１０により使用されるテンプレートを形成することができる。この実施例では、プリンター１０に関連したホストシステム３０が、テンプレート属性１４により修正されるべき設定可能なテンプレート２２の一つを識別するために、コマンド３２をプリンター１０に与えることができる。このコマンド３２は他の不使用プリンターコマンド、たとえば[ＥＳＣ]t7、[ＥＳＣ]3w、[ＧＳ]8などを含むことができる。
【００２４】
テンプレート属性１４はプリンター１０に関連したホストシステム３０により与えられてもよい。たとえば、テンプレート属性１４はホストシステム３０に関連したユーザーインターフェース３４を介して入力され、プリンター１０に送られてもよい（符号３６）。これに代えて、テンプレート属性１４は、プリンター１０に挿入することができる、取り外し可能なメモリーデバイス２４から与えられてもよい。取り外し可能なメモリーデバイス２４としては、コンパクトフラッシュ（登録商標）カード、スマートカード、スマートメディアカード、ＵＳＢフラッシュドライブ、メモリースティク、差し込みシリアルＥＥＰＲＯＭなどがある。
【００２５】
テンプレート属性１４は、複数の印刷フィールド、印刷フィールド位置、印刷フィールド領域、印刷位置、フォントサイズ、太字フォント、イタリックフォント、下線テキスト、フォントサイズ、一インチ当たりの文字数、テキストの向き、画像位置、画像サイズ、印圧解像度、バーコードタイプ、色などの少なくとも一つを含むことができる。
【００２６】
印刷データ１６はテキストおよびグラフィックの少なくとも一つを含むことができる。印刷データ１６はプリンターに関連したホストシステムから印刷データとともに送られてもよい（符号３８）。
【００２７】
ホストシステム３０は、キャッシュレジスター、ＰＯＳ（point of sale）端末、スロットマシーン、ゲーム端末、宝くじ券機、交通機関乗車券自動販売機、娯楽または券自動販売機などの一つであってもよい。券は、領収書、宝くじ券、クーポン、バス券、飛行機搭乗券、列車乗車券、ゲームバウチャ、スロットマシーンバウチャなどの一つであってもよい。
【００２８】
テンプレート属性１４は、印刷フィールドデータを分離する区切り文字を含んでもよい。区切り文字は設定可能である。たとえば、区切り文字は、コンマ、セミコロン、コロン、ピリオドなどに設定してもよい。
【００２９】
図３は本発明にしたがったテンプレート４０の例を示す。テンプレート４０は印刷領域５０にいくつかの印刷フィールド（たとえば、印刷フィールド１−７）を含んでもよい。テンプレート４０に与えられた印刷フィールドの数は（たとえばホストシステム３０からのコマンドを介して、または取り外し可能なメモリーデバイス２４を介して）設定可能である。テンプレート属性は各印刷フィールに対して与えてもよい。
【００３０】
図３に例示されたテンプレート４０において、印刷フィールド１−７はバウチャまたはクーポンを生成するために設定される。たとえば、印刷フィールド１および２はテキスト情報を含むように設定されてもよく、印刷フィールド３はバーコードを含むように設定されてもよく、印刷フィールド４はクーポン総額を含むように設定されてもよく、印刷フィールド５はクーポンの有効期限を含むように設定されてもよく、印刷フィールド６および７は他のテキストデータまたは画像データを含むように設定されてもよい。たとえば、これらフィールドは、クーポンが換金可能である旨の記載の名またはロゴ、シリアルナンバー、印刷日、クーポンが換金可能である製品の画像、名称などを含むように設定されてもよい。
【００３１】
テンプレート４０の印刷フィールドのそれぞれは、印刷フィールド位置、印刷フィールド領域、使用されるフォント（フォントスタイル、太文字、イタリック文字、下線、フォントサイズ、テキスト向きなどを含む）、使用される画像、色フィールド向き（フィールドの回転）のような設定可能な属性を含んでもよい。
【００３２】
図４は図３に例示のテンプレート４０を使用して生成された印刷物６０の例を示す。図４では、被印刷物が２００４年２月１９日付け印刷日より３０日まで有効とする、２０ドルの価値があるクーポンであることが例示されている。クーポン６０はまた、“Thank you for your Visit, Come Again Soon”とのテキストメッセージとともにバーコードおよびシリアルナンバーを含んでいる。
【００３３】
図５（図５aおよび図５b）は、本発明にしたがった他の実施例のプリンターに電源を入れることおよびそのプリンターのリセットを説明するフローチャートである。プリンターがリセットされた後（１０１）、プリンターは取り外し可能なメモリーデバイスが接続されているかどうかを判定する（１０２）。取り外し可能なメモリーデバイスが接続されているならば、プリンターは、取り外し可能なメモリーデバイスの内容（たとえば、テンプレート属性）を不揮発性メモリーにコピーする（１０３）。不揮発性メモリーの内容は、プリンターのワーキングメモリーにコピーされる（１０４）。つぎに、プリンターはホストシステムからの通信をモニターする（１０５）。取り外し可能なメモリーデバイスが接続されていないと、プリンターはホストシステムからの通信をモニターする（１０５）。
【００３４】
プリンターは、ホストシステムからの通信が設定コマンドであるかどうかを判定する（１０６）。通信が設定コマンドであるときは、その判定は、コマンドが一時的なデータを含むかどうかについて行う（１０７）。データが一時的な設定データであるときは、そのデータはワーキングメモリーにコピーされる（１０８）。データが一時的な設定データでないときは、そのデータは、ワーキングメモリーにコピーされる前に不揮発性メモリーにまずコピーされる（１０９）。一時的な設定データは、プリンターがリセットされ、または電源が入れ直されると失われることになるデータ（たとえば、テンプレート属性）である。一時的でない設定データは、リセットされても、または電源が入れ直されても、保持されているデータである。データが一時的のなものとして、または恒久的ものとして処理されるかどうか（テンプレート属性が保存されるものかどうか）を示すコマンドがプリンターから送られてもよい。
【００３５】
ホストシステムからの通信が設定コマンドでないと、そのコマンドが印刷データおよび／または印刷コマンドからなるかどうかについて判定が行われる。コマンドが印刷データおよび／または印刷コマンドからならないと、コマンドは処理され（１１１）、プリンターはホストシステム（１０５）からの通信をモニターし続ける。データが印刷データおよび／または印刷コマンドであると、データは設定データから形成されたテンプレートと結合される（１１２）。プリンターは、すべてのテンプレートフィールドが完了したかどうかを判定するためにチェックすることができる。テンプレートフィールドが完了していないと、プリンターはホストシステム（１０５）からの通信をモニターし続け、テンプレートフィールドが完了するまで、上記プロセス（工程１０６から１１３）を繰り返す。テンプレートフィールドが完了すると、複合画像が被印刷物に印刷される（１１４）。
【００３６】
本発明がプリンターのテンプレートを設定する有用な方法および装置を提供することは分かるであろう。
【００３７】
本発明が種々の例と関連して説明されているが、種々の変形、変更が、本発明の思想、範囲から逸脱することなくなし得るものである。
【図面の簡単な説明】
【００３８】
【図１】図１は本発明にしたがった実施例のブロック図を示す。
【図２】図２は本発明にしたがった他の実施例のブロック図を示す。
【図３】図３は本発明にしたがったテンプレートの実施例を示す。
【図４】図４は、図３に例示のテンプレートを使用して形成された、印刷物の例を示す。
【図５ａ】図５aは本発明の例にしたがったプリンターに電源を入れること、プリンターのリセットを示すフローチャートを示す。
【図５ｂ】図５bは本発明の例にしたがったプリンターに電源を入れること、プリンターのリセットを示すフローチャートを示す。
【図１】
2007514564.tif 000003
【図２】
2007514564.tif 000004
【図３】
2007514564.tif 000005
【図４】
2007514564.tif 000006
【図５ａ】
2007514564.tif 000007
【図５ｂ】
2007514564.tif 000008
【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
プリンターのためのテンプレートを設定する方法であって、
テンプレート属性をプリンターのメモリーに与える工程と、
テンプレート属性からテンプレートを形成する工程と、
印刷データをプリンターのメモリーに与える工程と、
複合画像を形成するために印刷データをテンプレートに結合する工程と、
複合画像を被印刷物に印刷する工程と、
を含む方法。
【請求項２】
前記プリンターが発券プリンターからなり、
前記被印刷物が券である、
請求項１に記載の方法。
【請求項３】
一つ以上の設定可能なテンプレートがプリンターに記憶され、
テンプレート属性からテンプレートを形成する工程が、前記テンプレート属性にしたがって設定可能なテンプレートの一つを修正することからなる、
請求項１または２に記載の方法。
【請求項４】
さらに、前記テンプレート属性により修正されるべき前記設定可能なテンプレートの一つを識別するために、コマンドをプリンターに与える工程を含む、
請求項３に記載の方法。
【請求項５】
前記コマンドが別の不使用プリンターコマンドからなる、
請求項４に記載の方法。
【請求項６】
テンプレート属性がプリンターに関連したホストシステムにより与えられる
請求項１ないし５のいずれに記載の方法。
【請求項７】
テンプレート属性がホストシステムに関連したユーザーインターフェースを介して入力される、
請求項１に記載の方法。
【請求項８】
テンプレート属性がプリンターに挿入することができる、取り外し可能なメモリーデバイスから与えられる、
請求項１ないし５のいずれに記載の方法。
【請求項９】
取り外し可能なメモリーデバイスが、コンパクトフラッシュ（登録商標）カード、スマートカード、スマートメディアカード、ＵＳＢフラッシュドライブ、メモリースティックまたは差し込みシリアルＥＥＰＲＯＭの一つからなる、
請求項８に記載の方法。
【請求項１０】
テンプレート属性が複数の印刷フィールド、印刷フィールド位置、印刷フィールド領域、印刷位置、フォントスタイル、太字フォント、イタリックフォント、下線テキスト、フォントサイズ、一インチ当たりの文字数、テキストの向き、画像位置、画像サイズ、印刷解像度、バーコードタイプ、および色の少なくとも一つからなる、
請求項１ないし９のいずれに記載の方法。
【請求項１１】
前記テンプレートが多数の印刷フィールドからなる、
請求項１ないし１０のいずれに記載の方法。
【請求項１２】
印刷フィールドの数が設定可能である、
請求項１１に記載の方法。
【請求項１３】
さらに、テンプレート属性を各印刷フィールドに与える工程を含む、
請求項１１に記載の方法。
【請求項１４】
印刷データがテキストおよびグラフィックの少なく一つからなる、
請求項１ないし１３のいずれに記載の方法。
【請求項１５】
印刷データがプリンターに関連したホストシステムから送られる、
請求項１ないし１４のいずれに記載の方法。
【請求項１６】
ホストシステムが、キャッシュレジスター、ＰＯＳ端末、スロットマシーン、ゲーム端末、宝くじ券発売機、交通機関乗車券自動販売機、または娯楽券自動販売機の一つからなる、
請求項１ないし１５のいずれに記載の方法。
【請求項１７】
印刷物が、領収書、宝くじ券、クーポン、バス券、航空機搭乗券、列車乗車券、ゲームバウチャ、またはスロットマシーンバウチャの一つからなる、
請求項１ないし１６のいずれに記載の方法。
【請求項１８】
前記テンプレート属性が印刷フィールドデータを分離する区分け文字を含む、
請求項１ないし１７のいずれに記載の方法。
【請求項１９】
前記区分け文字が設定可能である、
請求押１８に記載の方法。
【請求項２０】
設定可能なテンプレートをもつプリンターであって、
受信したテンプレート属性および受信した印刷データを記憶するためのメモリーと、
テンプレートをテンプレート属性から形成し、複合画像を形成するために印刷データをテンプレートに結合するプロセッサと、
複合画像を被印刷物に印刷する手段と、
を含むプリンター。
【請求項２１】
前記プリンターが発券プリンターからなり、
前記印刷物が券である、
請求項２０に記載のプリンター。
【請求項２２】
前記メモリーが一つ以上の設定可能なテンプレートを記憶し、
プロセッサが、前記テンプレート属性にしたがって、前記設定可能なテンプレートの一つを修正することにより、テンプレート属性からテンプレートを形成する、
請求項２０または２１に記載のプリンター。
【請求項２３】
プリンターに関連するホストシステムが、前記テンプレート属性により修正されるべき前記設定可能なテンプレートの一つを識別するために、コマンドをプリンターに与える、
請求項２２に記載のプリンター。
【請求項２４】
前記コマンドが別の不使用プリンターコマンドからなる、
請求項２３に記載のプリンター。
【請求項２５】
テンプレート属性がプリンターに関連したホストシステムにより与えられる
請求項２０ないし２４のいずれに記載のプリンター。
【請求項２６】
テンプレート属性がホストシステムに関連したユーザーインターフェースを介して入力される、
請求項２５に記載のプリンター。
【請求項２７】
テンプレート属性がプリンターに挿入することができる、取り外し可能なメモリーデバイスから与えられる、
請求項２０ないし２４のいずれに記載のプリンター。
【請求項２８】
取り外し可能なメモリーデバイスが、コンパクトフラッシュ（登録商標）カード、スマートカード、スマートメディアカード、ＵＳＢフラッシュドライブ、メモリースティックまたは差し込みシリアルＥＥＰＲＯＭの一つである、
請求項２７に記載のプリンター。
【請求項２９】
テンプレート属性が複数の印刷フィールド、印刷フィールド位置、印刷フィールド領域、印刷位置、フォントスタイル、太字フォント、イタリックフォント、下線テキスト、フォントサイズ、一インチ当たりの文字数、テキストの向き、画像位置、画像サイズ、印刷解像度、バーコードタイプ、および色の少なくとも一つである、
請求項２０ないし２８のいずれに記載のプリンター。
【請求項３０】
前記テンプレートが多数の印刷フィールドとからなる、
請求項２０ないし２９のいずれに記載のプリンター。
【請求項３１】
印刷フィールドの数が設定可能である、
請求項３０に記載のプリンター。
【請求項３２】
テンプレート属性が各印刷フィールドに与えられる、
請求項３０または３１に記載のプリンター。
【請求項３３】
印刷データがテキストおよびグラフィックの少なく一つからなる、
請求項２０ないし３２のいずれに記載のプリンター。
【請求項３４】
印刷データがプリンターに関連したホストシステムから送られる、
請求項２０ないし３３のいずれに記載のプリンター。
【請求項３５】
ホストシステムが、キャッシュレジスター、ＰＯＳ端末、スロットマシーン、ゲーム端末、宝くじ券発売機、交通機関乗車券自動販売機、または娯楽券自動販売機の一つからなる、
請求項２０ないし３４のいずれに記載のプリンター。
【請求項３６】
印刷物が、領収書、宝くじ券、クーポン、バス券、航空機搭乗券、列車乗車券、ゲームバウチャ、またはスロットマシーンバウチャの一つからなる、
請求項２０ないし３５のいずれに記載のプリンター。
【請求項３７】
前記テンプレート属性が印刷フィールドデータを分離する区分け文字を含む、
請求項２０ないし３６のいずれに記載のプリンター。
【請求項３８】
前記区分け文字が設定可能である、
請求押３７に記載のプリンター。
【国際調査報告】
2007514564.tif 000009